(57)【要約】【課題】本発明は、車の前方から目を離すことなく、ワンタッチで蓋の開閉、特に、ワンタッチで蓋を開くことが出来る車載用電子機器を提供するにある。【解決手段】車載用電子機器Ａは、ハウジング１、ハウジング１に装備されている機器本体２、外置き機材の接続部が接続のために挿脱される機器本体２の接続用開口部２ａを開閉する開閉蓋３及び接続用開口部２ａを閉塞状態に保持する保持部６とで構成されている。開閉蓋３は、蓋プレート３ａ、開蓋のための指掛け部１０、ハウジング１に設けられた軸受孔８に回動可能に挿入された回転軸９を有する。回転軸９に設定位置は、蓋プレート３ａを水平状態に移動した状態において、回転軸９の位置は蓋プレート３ａの重心位置Ｗより背方に設置するように設置されている。【選択図】図５
2016113053.tif 000002
【特許請求の範囲】
【請求項１】
ダッシュボードに装着されるハウジングと、外置き機材の接続部が接続のために挿脱される接続用開口部を有し、ハウジングに装備されている機器本体と、ハウジングに設けられ、接続用開口部を開閉する開閉蓋と、ハウジングに設けられ、開閉蓋に係脱し、係合時に開閉蓋によって接続用開口部を閉塞状態に保持する保持部とで構成され、
前記開閉蓋は、開蓋のための指掛け部を有し、接続用開口部の閉塞時には接続用開口部の前方にて接続用開口部に対面するように位置し、接続用開口部の開放時には機器本体の下方にて水平状態になるように移動する蓋プレートと、蓋プレートの両側辺にて機器本体を跨ぐように立設された蓋回動用アームと、接続用開口部から背方に離間した位置で、機器本体の両側に配置されたハウジングの軸受孔に回動可能に挿入され、それぞれの蓋回動用アームに設けられた回転軸とで構成され、
水平状態に蓋プレートが移動した状態において、回転軸の位置は蓋プレートの重心位置より背方に設置するように設置されていることを特徴とする車載用電子機器。
【発明の詳細な説明】
【技術分野】
【０００１】
本発明は、ダッシュボードのような取付スペースに取り付けて使用される車載用電子機器に関し、更に言えば、車載用電子機器に搭載されたＵＳＢポートやシガレット・コンセントの開口を簡便に開閉できる開閉蓋を有する車載用電子機器に係る。
【背景技術】
【０００２】
ダッシュボードにはカーラジオやカーナビゲーション機器或いはシガレット着火装置その他、カーアクセサリ装着用のスペースが設けられており、該スペースを利用して所有者の好みに合わせてカーアクセサリを取り換えることが出来るようになっている。車載用電子機器はそのようなカーアクセサリの一種で、ＵＳＢポートやシガレット・コンセントが内蔵されており、そのハウジングの前面にはこれら搭載機器の接続用開口部が設けられている。
【０００３】
この車載用電子機器はダッシュボードに装着して使用されることになるが、ＵＳＢポートやシガレット・コンセントにＵＳＢやシガレット・プラグが装着されたままになっているとこれらに接続用開口部が閉塞されて車内に入り込んだ微細な塵埃による接触不良などの故障を引き起こすことは基本的にないが、装着されず、これらの接続用開口部が開放されたままになっていると微細な塵埃がＵＳＢポートやシガレット・コンセント内に入り込み、接触不良などの故障を引き起こす。
【０００４】
これらを使用しない場合には、故障回避のために接続用開口部に蓋をしておけばよいのであるが、走行中にＵＳＢやシガレット・プラグを装着するために蓋を開けようとする場合、目を蓋の方に移動させることなく開蓋しなければならない。そのような先行技術として特許文献１に示すようなものが提案されている。
【先行技術文献】
【特許文献】
【０００５】
【特許文献１】特開２０１３−１０３５９４号公報
【発明の概要】
【発明が解決しようとする課題】
【０００６】
特許文献１に記載の車載用電子機器は、本体ケースと、この本体ケースの前面に設けた操作パネルと、この操作パネルに設けた操作部とを備えた構成となっており、前記操作パネルの接続端子の開口側を開閉蓋で覆ったものである。前記開閉蓋は、前記接続端子の開口部分を覆う蓋本体と、この蓋本体の右端から前記本体ケースの係止孔内に挿入された帯状の係止片とを有する構成となっており、この開閉蓋を開放するときには、左端に設けた蓋本体の係止端に指を引っ掛けて蓋本体の左端の本体ケースに対する係合を外し、指で摘まんでこれを更に本体ケースの前方側に引き出し、続いてこの蓋本体で右側に回動させて帯状の係止片を本体ケース内に押し込むようにするもので、かなり煩雑な操作がなされる。
【０００７】
車載用電子機器の使用は、停車時だけでなく、運転中に行われることもある。このような運転中の車載機器の開閉蓋の複雑な開閉操作は、蓋の開閉に目が取られて前方の注視が疎かになりやすく、僅かな時間であっても運転者の注意が前方から逸れて蓋の開閉に向くようでは危険である。上記のように特許文献１の開閉蓋は開放するときには、左端に設けた蓋本体の係止端に指の先を引っ掛け、これを指で摘まんで本体ケースの前方側に引き出す必要があるためかなり複雑であり、運転者の注意が蓋の開に取られる危険性がある。
【０００８】
本発明は、このような危険を除去すべく、車の前方から目を離すことなく、ワンタッチで蓋の開閉、特に、ワンタッチで蓋を開くことが出来る車載用電子機器を提供するにある。
【課題を解決するための手段】
【０００９】
請求項１に記載した車載用電子機器Ａは、
ダッシュボードＤに装着されるハウジング１と、外置き機材の接続部が接続のために挿脱される接続用開口部２ａを有し、ハウジング１に装備されている機器本体２と、ハウジング１に設けられ、接続用開口部２ａを開閉する開閉蓋３と、ハウジング１に設けられ、開閉蓋３に係脱し、係合時に開閉蓋３によって接続用開口部２ａを閉塞状態に保持する保持部６とで構成され、
前記開閉蓋３は、開蓋のための指掛け部１０を有し、接続用開口部２ａの閉塞時には接続用開口部２ａの前方にて接続用開口部２ａに対面するように位置し、接続用開口部２ａの開放時には機器本体２の下方にて水平状態になるように移動する蓋プレート３ａと、蓋プレート３ａの両側辺３ｂにて機器本体２を跨ぐように立設された蓋回動用アーム３ｃと、接続用開口部２ａから背方に離間した位置で、機器本体２の両側に配置されたハウジング１の軸受孔８に回動可能に挿入され、それぞれの蓋回動用アーム３ｃに設けられた回転軸９とで構成され、
水平状態に蓋プレート３ａが移動した状態において、回転軸９の位置は蓋プレート３ａの重心位置Ｗより背方に設置するように設置されていることを特徴とする。
【発明の効果】
【００１０】
本発明では、蓋プレート３ａが水平状態に移動した開状態において、回転軸９の位置は蓋プレート３ａの重心位置Ｗより背方に設置するように設置されているので、接続用開口部２ａに対面して接続用開口部２ａを閉塞時している蓋プレート３ａの指掛け部１０を押して蓋プレート３ａを保持部６から離脱させると、蓋プレート３ａの自重で起立状態の蓋プレート３ａは下方に回転して機器本体２の下方に滑り込み、水平状態になる。即ち、ワンタッチで蓋プレート３ａを開くことが出来る。その結果、運転者は前方から目を離すことなく開蓋をすることが出来、非常に安全である。
【図面の簡単な説明】
【００１１】
【図１】本発明の使用状態を示す斜視図である。
【図２】図１の閉じられた開閉蓋部分の拡大斜視図である。
【図３】図２の開かれた開閉蓋部分の拡大斜視図である。
【図４】図３の開かれた開閉蓋と機器本体との関係を示す斜視図である。
【図５】本発明の開閉蓋の開状態の側断面図である。
【図６】本発明の開閉蓋の閉状態の側断面図である。
【図７】本発明のハウジングの背面側からの一部の分解斜視図である。
【発明を実施するための形態】
【００１２】
以下、発明を図示実施例に従って説明する。車載用電子機器Ａは、ダッシュボードＤに装着されるハウジング１と、機器本体２と、開閉蓋３とで構成されている。
【００１３】
ダッシュボードＤは、自動車においてフロントウィンドウ下の前席正面にある内装部分全体を指した名称で、運転席正面には通常スピードメーター、タコメーター、燃料計、水温計、距離計など、自動車の走行に必要な情報を指し示す計器類、カーナビゲーション装置、ＣＤやオーディオ機器、シガレット点火装置、ＵＳＢ端子などが配置され、更には、好みの車載用電子機器を装着するための凹所も用意されている。
【００１４】
本発明における機器本体２は、シガレット点火装置のソケット２０やＵＳＢ端子、自動車のＤＣ２４Ｖバッテリを電源とし、これを交流１００Ｖに変換して外置き機器に給電する車載用電源変換器などである。本実施例は、シガレット点火装置のコンセント部分やＵＳＢ端子に接続される車載用電源変換器などが対象となる。
【００１５】
ハウジング１は、ダッシュボードＤの凹所４０に嵌まり込む形状に形成されている。本実施例では、ハウジング１は、前面部１ａ、底面部１ｂ及び三角形の側面部１ｃとで構成されており、前面部１ａには複数個の凹所１１が設けられている。凹所１１は本実施例では縦長長方形の角形の凹部１１が横並びで２カ所、横長長方形の角形の凹部１１がその横に２カ所穿設されている。個数や形状は収納される機器本体２の種類に合わせて形成される。この場合、縦長長方形の角形凹部１１はソケット２０用であり、横長長方形の角形凹部１１は図示しないＵＳＢ端子用である。凹所１１の形は勿論、角形に限定されないが、ここでは角形として説明する。また、横長長方形の角形の凹部１１も横長長方形の角形の凹部１１も表面形状が異なるだけで構造は同じである。
【００１６】
縦長角形凹部１１の背面にはソケット取付プレート１２が一体的に取り付けられており、ソケット取付プレート１２にはシガレット点火装置のソケット２０の開口に一致した前面側丸孔１２ａが穿設されている。そして、ソケット取付プレート１２の下縁と縦長の角形凹部１１の下縁との間に後述する蓋プレート３ａが出入りできる大きさの蓋移動用隙間Ｓ１が設けられている。また、ソケット取付プレート１２の側縁と縦長の角形凹部１１の側縁との間にも後述する蓋回動用アーム３ｃが出入りできる大きさのアーム移動用隙間Ｓ２が両側に設けられている。上記ソケット取付プレート１２はハウジング１の前面部１ａの背面に一体的に形成してもよい。
【００１７】
縦長の角形凹部１１の内側面とソケット取付プレート１２の前面の上部コーナー部分と直線状の入隅には、Ｌ形段部１１ｆと直線段部１１ｇとが両者の間にスペースを設けて形成されており、このスペース部分に合わせて、角形凹部１１の内側面に内側に突出した小突起状の保持部６が形成されている。前記アーム移動用隙間Ｓ２は、前面板丸孔１２ａの中心Ｐを越えない高さまで切り込まれている。そして、開閉蓋３を支持する軸受アーム１３ａの前部を構成する軸受前アーム１３ｃが前面部１ａの背面から後方に突設されている。この軸受前アーム１３ｃの後端面には軸受孔８の一部を構成するＵ形前部切欠８ａが形成されている。このＵ形前部切欠８ａは後方に開口している。
【００１８】
ハウジング１の前面部１ａの背面には別体の背面部材１３が取り付けられている（図７）。背面部材１３には前面部１ａの前面側丸孔１２ａに一致して円形の背面側丸孔１３ｅが穿設されている。そしてこの背面側丸孔１３ｅの両側にＬ形の補助アーム１３ｂが背方に向けて突設されており、下方に垂下した先端部分の前面にＵ形後部切欠１８ａが設けられている。このＵ形後部切欠１８ａは、軸受前アーム１３ｃのＵ形前部切欠８ａと一致して軸受孔８を形成する。本実施例ではこの背面部材１３は別体となっているが、ハウジング１の前面部１ａ又はソケット取付プレート１２と一体に形成してもよい。
【００１９】
前記開閉蓋３は、長方形の蓋プレート３ａと蓋回動用アーム３ｃとで構成されている。一対の蓋回動用アーム３ｃは、蓋プレート３ａの両側辺３ｂから蓋プレート３ａに対して直角に突設されており、蓋回動用アーム３ｃの先端外側面に回転軸９が外側方に突設されている。回転軸９の設置位置は、水平状態に蓋プレート３ａが移動した状態において、蓋プレート３ａの重心位置Ｗより背方に設けられている（図６）。換言すれば、重心位置Ｗは、軸受孔８に対して前面部１ａ側に設置されている。
【００２０】
指掛け部１０は、蓋プレート３ａの上端縁に設けられている。即ち、指掛け部１０は上端縁の中央部分を弧状にて前方（外側）に突出させ且つ湾曲させて形成されており、蓋プレート３ａを立てて角形凹部１１内に嵌まり込ませ、接続用開口部２ａを蓋プレート３ａにて閉塞した場合、指掛け部１０が前面部１ａの前面より突出する。
【００２１】
しかして、ハウジング１の背面側にて、回転軸９をハウジング１の蓋回動用アーム３ｃのＵ形前部切欠８ａに嵌め込んで開閉蓋３を蓋回動用アーム３ｃに吊るし、その状態で背面部材１３を前面部１ａの背方から宛がい、Ｕ形前部切欠８ａとＵ形後部切欠１８ａとで構成された軸受孔８に回転軸９が回動自在に嵌り込んだように取り付け、続いて背面部材１３の背方から機器本体２を宛がい、ビス３０で共締めにて前面部１ａに固定する。この状態では、開閉蓋３の蓋プレート３ａは機器本体２の下方にて水平に吊り下げられた状態となり、その指掛け部１０は角形凹部１１の下縁１１ａに当接し、蓋プレート３ａの水平状態を保つ。そして、蓋プレート３ａの指掛け部１０は角形凹部１１より前方に突出した状態を保っている。
【００２２】
前述のような蓋プレート３ａが機器本体２の下方にて水平に吊り下げられた状態は、接続用開口部２ａが外部に露出した状態である（図３）。接続用開口部２ａに外置き装置の接続部を接続しない場合には接続用開口部２ａを開閉蓋３で閉塞しておく必要があり、その場合には指掛け部１０に指を下側から宛がい、上方に移動させる。蓋プレート３ａが立ち上がった状態でそのまま蓋プレート３ａを前面部１ａ方向に軽く押し込むと、蓋プレート３ａの両側辺３ｂが突起状の保持部６を乗り越え、角形凹部１１内に嵌まり込み、保持部６にて蓋プレート３ａが接続用開口部２ａに対面してこれを閉塞する。
【００２３】
逆に、この状態から接続用開口部２ａを開放しようとすると、前面部１ａの角形凹部１１から前方に突出している指掛け部１０に上から指を宛がい、軽く下方に向けて押すと、開閉蓋３が回転軸９を中心に下方に回り込みを始め、蓋プレート３ａの両側辺３ｂが突起状の保持部６を乗り越える。蓋プレート３ａの両側辺３ｂが突起の保持部６を乗り越えると、その後は回転軸９が蓋プレート３ａの重心位置Ｗより背方に位置しているため、回転軸９を中心として蓋プレート３ａがその自重で下方に回転し、蓋プレート３ａが角形凹部１１の下縁１１ａに当接し、水平状態を保って停止する。換言すれば、ワンタッチで開閉蓋３を開くことが出来、目線を前方から逸らさずにすみ、安全な運転が行われる。
【符号の説明】
【００２４】
Ａ…車載用電子機器、Ｄ…ダッシュボード、Ｓ１…蓋移動用隙間、Ｓ２…アーム移動用隙間、Ｐ…中心、Ｗ…重心位置、１…ハウジング、１ａ…前面部、１ｂ…底面部、１ｃ…側面部、２…機器本体、２ａ…接続用開口部、３…開閉蓋、３ａ…蓋プレート、３ｂ…側辺、３ｃ…蓋回動用アーム、４…接続用開口部、６…保持部、８…軸受孔、８ａ…Ｕ形前部切欠、９…回転軸、１０…指掛け部、１１…凹部、１１ａ…下縁、１１ｆ…Ｌ形段部、１１ｇ…直線段部、１２…ソケット取付プレート、１２ａ…前面側丸孔、１３…背面部材、１３ａ…軸受アーム、１３ｂ…補助アーム、１３ｃ…軸受前アーム、１３ｅ…背面側丸孔、１８ａ…Ｕ形後部切欠、２０…ソケット、３０…ビス、４０…凹所。
【図１】
2016113053.tif 000003
【図２】
2016113053.tif 000004
【図３】
2016113053.tif 000005
【図４】
2016113053.tif 000006
【図５】
2016113053.tif 000007
【図６】
2016113053.tif 000008
【図７】
2016113053.tif 000009